(57)【要約】【課題】携帯情報機器に小型の画像読取装置を装着して用いる形式の画像読取処理装置において電池が長持ちし且つ使い勝手が良い画像読取装置を提供する。【解決手段】画像読取装置１０をＰＤＡ２０の頭に取り付け、逆さに持って紙などの画像面に読取ラインスキャナ１３を密着させて画像を読み取る。画像読み取り動作中は動作状態制御信号が画像読取装置１０からＰＤＡ２０に出力される（Ｓ４）。この信号に基づいて、動作中に不要な表示部２１の輝度が下げられる。また動作中に不要な機能部分の電源の供給またはクロックの供給が絶たれる。更にＰＤＡ２０側のＬＥＤ２３で動作状態を点灯、点滅、消灯で報知する。また表示部２１の画像表示では動作状態により正立と倒立に切り替えて見やすくする。また、読み取り動作中は入力ボタン２２及び２４と、表示部２１のタッチパネルからの入力を無効化して誤動作の発生を防止する。【選択図】　　　図１
2004007241.tif 000002
【特許請求の範囲】
【請求項１】
少なくとも表示手段と該表示手段の表示輝度を調整する輝度調整手段とを有する情報処理装置に着脱自在に装着されて被読取り媒体上の画像を読み取る画像読取装置であって、
画像の読取りを制御する読取り制御手段と、
該読取り制御手段により制御される画像の読取り状態に基づいて前記情報処理装置の前記輝度調整手段に対し前記表示手段の表示輝度を変更するよう通知する通知手段と、
を備えたことを特徴とする画像読取装置。
【請求項２】
情報処理装置に着脱自在に装着されて被読取り媒体上の画像を読み取る画像読取装置であって、
画像の読取りを制御する読取り制御手段と、
機能ブロック毎に電源供給の制御又は動作クロック配信の制御を行う機能ブロック制御手段と、
を備え、
前記機能ブロック制御手段は、前記読取り制御手段により制御される画像の読み取り状態に基づいて前記機能ブロック毎に電源供給の制御又は動作クロック配信の制御を行うことを特徴とする画像読取装置。
【請求項３】
少なくとも発光手段と表示手段とを有する情報処理装置に着脱自在に装着されて被読取り媒体上の画像を読み取る画像読取装置であって、
画像の読取りを制御する読取り制御手段と、
該読取り制御手段により制御される画像の読取り状態に基づいて前記情報処理装置に対し前記発光手段の発光又は前記表示手段の表示を変更するよう通知する通知手段と、
を備えたことを特徴とする画像読取装置。
【請求項４】
少なくとも表示手段を有する情報処理装置に着脱自在に装着されて被読取り媒体上の画像を読み取る画像読取装置であって、
画像の読取りを制御する読取り制御手段と、
該読取り制御手段により制御される画像の読取り状態に基づいて前記情報処理装置に対し前記表示手段が表示する画像の一部又は全ての表示の向きを変更するよう通知する通知手段と、
を備えたことを特徴とする画像読取装置。
【請求項５】
少なくとも入力手段を有する情報処理装置に着脱自在に装着されて被読取り媒体上の画像を読み取る画像読取装置であって、
画像の読取りを制御する読取り制御手段と、
該読取り制御手段により制御される画像の読取り状態に基づいて前記情報処理装置に対し前記入力手段による入力の一部又は全てを無効とするよう通知する通知手段と、
を備えたことを特徴とする画像読取装置。
【発明の詳細な説明】
【０００１】
【発明の属する技術分野】
本発明は、携帯情報端末（ＰＤＡ：ｐｅｒｓｏｎａｌ　ｄｉｇｉｔａｌ　ａｓｓｉｓｔａｎｔ）に装着して画像の読み取りを行う小型の画像読取装置に関する。
【０００２】
【従来の技術】
図１２（ａ），（ｂ），（ｃ）は、従来知られている小型の画像読取処理装置の構成を示す図である。図１２（ａ）はＰＤＡ１を示しており、このようなＰＤＡ１は現今では広く普及している。図１２（ａ）に示すＰＤＡ１は、前部のほぼ全面を占めるタッチパネルとＬＣＤ（ｌｉｑｕｉｄｃｒｙｓｔａｌ　ｄｉｓｐｌａｙ：液晶表示装置）とを重ねて配置した入力表示装置２を備えている。この入力表示装置２には、このＰＤＡ１に付属する樹脂製の細い棒などからなる入力ペン３によって種々の入力を行うことができ、また、入力表示装置２の下方に配置された複数の入力ボタン４によっても各種の指示を入力することができる。通常このようなＰＤＡ１には、その頭頂部にカード挿入スリット５が設けられている。このカード挿入スリット５には、例えばＰＣカードやＣＦカードが挿入されて用いられる。
【０００３】
図１２（ｂ）は、上記のＰＤＡ１のカード挿入スリット５に装着して用いる超小型の画像読取装置であるカード型イメージスキャナ６を示している。このカード型イメージスキャナ６は画像を読み取る走査部７と接続カード部８からなる。この接続カード部８を図１２（ｂ）に矢印Ａで示すように、ＰＤＡ１のカード挿入スリット５に挿入すると、図１２（ｃ）に示すように、ＰＤＡ１とカード型イメージスキャナ６が一体となった小型の画像読取処理装置が得られる。
【０００４】
図１３（ａ）は、上記の画像読取処理装置によって画像を読み取る状態を示す側面図であり、同図（ｂ）は、その画像読取処理装置の一構成要素であるカード型イメージスキャナ６の構成ブロック図である。
【０００５】
まず、ＰＤＡ１を手に持って、図１３（ａ）に示すように、カード型イメージスキャナ（以下単にスキャナという）６の走査部７を下に向けて、紙などの被読取り媒体９の上面に走査部７を密着させ、図の矢印Ｂで示す読取走査方向にＰＤＡ１を摺動させて、被読取り媒体９上の画像を走査部７に読み取らせる。
【０００６】
スキャナ６の走査部７は、同図（ｂ）に示すように、上記の被読取り媒体９上の画像を光学的に読み取り、その読み取った光学画像データをアナログ電気信号に変換する画像読取り部７−１と、画像読取り部７−１の被読取り媒体９上の移動量を計測する移動量計測部７−２とを備えている。
【０００７】
また、スキャナ６の接続カード部８は、上記の画像読取り部７−１から出力されるアナログ画像信号ａを処理する画像信号処理部８−１と、移動量計測部７−２から入力する移動量信号ｂに基づいて画像読取り部７−１へ駆動信号ｃを出力して画像読取り部７−１の駆動制御を行なう読取り制御部８−２と、外部の情報処理装置であるＰＤＡ１と読取データや被指示信号の入出力を行なうＰＣカードＩ／Ｆ（インターフェース）部８−３とを備えている。
【０００８】
同図（ａ）のように走査の結果、読み取られた読取データ（画像信号）は、接続カード部８のＰＣカードＩ／Ｆ部８−３からＰＤＡ１へ出力され、ＰＤＡ１の入力表示装置２に画像として順次表示されるので、これにより、ユーザはＰＤＡ１の入力表示部２で読み取り画像を確認しながら、画像データの読み取りをすることができる構成になっている。
【０００９】
【発明が解決しようとする課題】
ところで、上記のＰＤＡ１のような携帯情報機器の電源は電池であり、この電池で携帯情報機器を連続して長時間使用できることが必要である。しかしながらユーザが期待するほどに電池が長持ちすることは余り無く、従来の携帯情報機器は、ややもすれば、使用途中で電池が切れかけてくるという不満が残るものであった。
【００１０】
また、通常、スキャナは、携帯情報機器の頭頂部に装着する形態となる場合が多い。したがって、この形態でのスキャナ使用時には携帯情報機器を逆さまにして手に持つなど、通常の携帯情報機器の使用時とはユーザと携帯情報機器との対応関係が異なってくる。このため、携帯情報機器とスキャナを一体化して使用する場合、使い勝手が悪いという問題点があった。
【００１１】
また、モニタ画面として液晶表示装置等の表示装置を備えた携帯情報機器の場合、ユーザはスキャナや撮像装置で画像の読み取りが終了してからモニタ画面によって読み取り画像の確認を行うが、画像を読み取り中はユーザは読み取り操作のほうに気を取られているのでモニタ画面での確認は行わない。したがって、表示装置のバックライトを点灯させる必要はないにも拘わらず従来はバックライトを点灯させていた。このため、電池の消耗が促進されるという問題があった。
【００１２】
本発明の課題は、上記従来の実情に鑑み、携帯情報機器に小型の画像読取装置を装着して用いる形式の画像読取処理装置において電池が長持ちし且つ使い勝手が良い画像読取装置を提供することである。
【００１３】
【課題を解決するための手段】
先ず、請求項１記載の発明の画像読取装置は、少なくとも表示手段と該表示手段の表示輝度を調整する輝度調整手段とを有する情報処理装置に着脱自在に装着されて被読取り媒体上の画像を読み取る画像読取装置であって、画像の読取りを制御する読取り制御手段と、該読取り制御手段により制御される画像の読取り状態に基づいて上記情報処理装置の上記輝度調整手段に対し上記表示手段の表示輝度を変更するよう通知する通知手段と、を備えて構成される。
【００１４】
次に、請求項２記載の画像読取装置は、情報処理装置に着脱自在に装着されて被読取り媒体上の画像を読み取る画像読取装置であって、画像の読取りを制御する読取り制御手段と、機能ブロック毎に電源供給の制御又は動作クロック配信の制御を行う機能ブロック制御手段と、を備え、上記機能ブロック制御手段は、上記読取り制御手段により制御される画像の読み取り状態に基づいて機能ブロック毎に電源供給の制御又は動作クロック配信の制御を行うように構成される。
【００１５】
続いて、請求項３記載の発明の画像読取装置は、少なくとも発光手段と表示手段とを有する情報処理装置に着脱自在に装着されて被読取り媒体上の画像を読み取る画像読取装置であって、画像の読取りを制御する読取り制御手段と、該読取り制御手段により制御される画像の読取り状態に基づいて上記情報処理装置に対し上記発光手段の発光又は上記表示手段の表示を変更するよう通知する通知手段と、を備えて構成される。
【００１６】
更に、請求項４記載の発明の画像読取装置は、少なくとも表示手段を有する情報処理装置に着脱自在に装着されて被読取り媒体上の画像を読み取る画像読取装置であって、画像の読取りを制御する読取り制御手段と、該読取り制御手段により制御される画像の読取り状態に基づいて上記情報処理装置に対し上記表示手段が表示する画像の一部又は全ての表示の向きを変更するよう通知する通知手段と、を備えて構成される。
【００１７】
そして、請求項５記載の発明の画像読取装置は、少なくとも入力手段を有する情報処理装置に着脱自在に装着されて被読取り媒体上の画像を読み取る画像読取装置であって、画像の読取りを制御する読取り制御手段と、該読取り制御手段により制御される画像の読取り状態に基づいて上記情報処理装置に対し上記入力手段による入力の一部又は全てを無効とするよう通知する通知手段と、を備えて構成される。
【００１８】
これにより、画像の読取り状態に応じて各機能ブロックの電源使用状態又はデータ出力状態が可変制御されて、電池を無駄に消費せず使用時間を極力延長させることができるようになると共に、携帯情報機器が逆さまであっても不自由が無いので使い勝手が良くなる。
【００１９】
【発明の実施の形態】
以下、本発明の実施の形態を図面を参照しながら説明する。
図１（ａ）は、本発明の画像読取装置が携帯型情報処理装置に装着されて情報処理装置と画像読取装置とが一体となった画像読取処理装置の構成を示す外観斜視図であり、同図（ｂ）は、この構成において行われる基本的な読み取り動作のシーケンス処理を示すフローチャートである。
【００２０】
同図（ａ）に示す画像読取装置１０は、スキャナ部１１と接続カード部１２からなり、スキャナ部１１の図では陰になって見えない画像走査面には、その長手方向のほぼ大半を占めて配置された読取ラインスキャナ１３と、その端部近傍に配置された原稿検出センサ１４とが設けられている。スキャナ部１１は長手方向の両端面に、それぞれローラ１５（１５−１、１５−２）を備えており、これらのローラ１５には図には示していないがエンコーダが連動して設けられている。
【００２１】
この画像読取装置１０は、接続カード部１２が携帯型情報処理装置であるＰＤＡ２０の頭頂部に開口しているカードスリットに挿入されることにより、ＰＤＡ２０に一体となって装着される。接続カード部１２内には、画像読取制御部や、この画像読取制御部の制御状態に基づいて動作状態制御信号を各モジュール部に出力する動作状態制御信号出力部などが設けられている。
【００２２】
他方のＰＤＡ２０は、前面に、大きな面積を有する入力表示部２１と、その入力表示部２１の下方に配置された各種の入力ボタン２２と、入力表示部２１の上方右角近傍に配置されたＬＥＤ（ｌｉｇｈｔ　ｅｍｉｔｔｉｎｇ　ｄｉｏｄｅ）２３とを備えている。また、右側の側面上方には電源の入力ボタン２４が設けられている。上記の入力表示部２１は、タッチパネルとＬＣＤ表示装置とが重ねて構成されている。
【００２３】
このような構成において、基本的な読み取り処理の動作を図１（ｂ）のフローチャートを用いて説明する。なお、この処理は、画像読取装置１０の制御部とＰＤＡ２０の制御部とが連携して行う処理であり、ユーザによって入力表示部２１を専用のペンでタッチ操作して又は入力ボタン２２を入力操作して、読み取り画像のサイズが入力され、画像読み取の指示が入力された後に実行される。
【００２４】
読取りモードが設定されて、読取りモードの処理が開始される（Ｓ１）。この読取りモードの処理が開始されると、先ず原稿（紙などの被読取り媒体）が検出されているか否かが判別される（Ｓ２）。この処理では、原稿検出センサ１４のフォトセンサへ入射する反射光の光量が、所定の光量以上であれば原稿が有りと判断され、所定の光量未満であれば原稿が無しと判断される。
【００２５】
そして原稿が検出されないときは（Ｓ２がＮｏ）、原稿が検出されるまで待機し、原稿が検出された場合は（Ｓ２がＹｅｓ）、これは画像読取装置１０のスキャナ部１１の読取ラインスキャナ１３が配置されている走査面が原稿上に密着しているのであり、この場合は、続いてエンコーダが回転しているか否かが判別される（Ｓ３）。
【００２６】
この処理では、ローラ１５に連動するエンコーダからの出力が監視されており、エンコーダの出力が回転を示していないときは（Ｓ３がＮｏ）、上記の処理Ｓ２に戻って処理Ｓ２及びＳ３を繰り返す。
【００２７】
そして、処理Ｓ３で、エンコーダの出力が回転を示していれば（Ｓ３がＹｅｓ）、これは画像読取装置１０の原稿上に押圧されているローラ１５が回転しているのであり、すなわち画像読取装置１０の走査面が原稿上を移動している。したがって、この場合は、読取ラインスキャナ１３で画像を読み取っていくと共に、画像を読み取り中であることを示す動作状態制御信号を出力する（Ｓ４）。
【００２８】
ここで出力される動作状態制御信号により、詳しくは後述するように、ＰＤＡ２０側の入力表示装置２１の表示の輝度やその表示の向きなどが制御される。また、画像読取装置１０とＰＤＡ２０の電源供給やクロック信号の供給なども制御される。このように動作状態制御信号によって、各種の機能モジュールの動作が制御される。
【００２９】
上記に続いて、指定されているサイズの読取領域の読み取りが終了しているか否かが判別される（Ｓ５）。この処理では、エンコーダの回転量の累計値が参照され、この累計値が、指定されている読取領域のサイズに対応する値となっているか否かが判別される。
【００３０】
そして、指定されているサイズの読取領域の読み取りが終了していないときは（Ｓ５がＮｏ）、ここで再び原稿があるか否かを判別するために原稿の検出を行い（Ｓ６）、原稿が検出されていれば未だ読み取るべき原稿領域がある（Ｓ６がＹｅｓ）。そしてこの場合は、上記処理Ｓ４に戻って、処理Ｓ４〜Ｓ６を繰り返す。これにより、指定されている読取領域の読み取りが進行する。
【００３１】
上記の処理Ｓ６で、原稿が検出されなかったときは（Ｓ６がＮｏ）、これは読取ラインスキャナ１３が原稿面から外に出たか、あるいはユーザがＰＤＡ２０を持ち上げて読取ラインスキャナ１３を原稿面から離したかのいずれかである。そして、この場合は、原稿読み取り終了の処理を行う（Ｓ８）。この処理は、上記の動作状態制御信号の出力を停止し、更に例えば、読み取った画像データを記憶装置に格納する処理等である。
【００３２】
また処理５の判別で、指定されている読取領域の読み取りが終了した場合も（Ｓ５がＹｅｓ）、直ちに上記の処理Ｓ７に移行する。処理Ｓ７に続いて、読み取りモードが終了しているか否かが判別される（Ｓ８）。この処理は、入力表示部２１へのタッチ操作又は入力ボタン２２による入力操作で、ユーザにより読取りモードの終了指示がなされているか否かを判別する処理である。
【００３３】
そして、読取りモードの終了指示がないときは（Ｓ８がＮｏ）、処理Ｓ２に戻って原稿検出からの上述したシーケンス処理を繰り返す。他方、読取りモードの終了が指示されていれば（Ｓ８がＹｅｓ）、この原稿読み取り処理を終了する。
【００３４】
図２は、第１の実施形態における上記のように基本的に動作する画像読取装置１０とＰＤＡ２０一体型の画像読取処理装置の機能ブロック図である。なお図２に示す機能ブロック図において、図１（ａ）に示したハード構成の機能と同一な機能に係わる機能ブロックには、図１（ａ）のハード構成に付与した番号と同一の番号を付与して示している。
【００３５】
図２に示すように、この画像読取装置１０とＰＤＡ２０一体型の画像読取処理装置における第１の実施形態における機能は、画像読取装置１０の画像の読み取りを制御する読取り制御手段としての読取制御部１６と、ＰＤＡ２０の入力表示部２１のＬＣＤ表示装置を表示駆動する表示手段としての表示部２５と、この入力表示部２１のバックライトを点灯駆動する照明部２６と、この照明部２６を制御してバックライトの輝度を調節する輝度調整手段としての輝度調節部２７からなる。
【００３６】
このように、画像読取装置１０と一体化して画像の読み取り処理を行うＰＤＡ２０では、画像の入力した結果を表示して確認するＬＣＤ表示装置にバックライトを備えている。また、通常のＰＤＡ２０の動作では、バックライトの点灯によりＬＣＤ表示装置に表示される画面の確認を容易にする。
【００３７】
ところが、バックライトの点灯は、その点灯時間が多いと電池の消耗が早くなる。通常、ユーザは、画像読取装置１０で画像を読み取るごとにＰＤＡ２０を持ち上げてＬＣＤ表示装置に表示されている画面を見て画像の入力結果を確認するのであって、画像読取装置１０で画像を読み取り中は画面の確認は行わない。つまり、通常、ユーザは、画像読み取り中は画像入力画面の確認は行わないので、ＬＣＤ表示装置のバックライトを点灯させる必要がない。
【００３８】
したがって、本例では、画像（原稿）の読み取り中に、読取り制御部１６から出力される読み取り中である旨を示す通知である動作状態制御信号ｄ（図１（ｂ）の処理Ｓ４参照）を、通知手段としての不図示のカード入出力インターフェースを介してＰＤＡ２０の輝度調節部２７が受け取ると、この通知により、輝度調節部２７は、照明部２６を制御して、表示部２５により表示駆動されるＬＣＤ表示装置のバックライトの輝度を下げるか又はバックライトの電源自体を切断する。
【００３９】
これにより、画像をスキャン中のＬＣＤ表示に関する消費電流を削減し、ＰＤＡ２０に内蔵される電池の消費を抑えることが可能となる。このように、本例の実施形態では、ＰＤＡ２０のバックライト電源を画像スキャン中に低減又は遮断して、省電力化を実現する構成例となっている。
【００４０】
図３は、第２の実施形態における画像読取装置１０の機能ブロック図である。尚この図３においても、図１（ａ）に示したハード構成の機能と同一な機能に係わる機能ブロックには、図１（ａ）のハード構成に付与した番号と同一の番号を付与して示している。
【００４１】
図３に示すように、画像読取装置１０の機能ブロックは、スキャナ部１１の画像読取部１１−１、移動量検出部１１−２、原稿検出部１１−３、接続カード部１２の画像信号処理部１２−１、読取り制御手段としての読取り制御部１２−２、装置Ｉ／Ｆ部１２−３、及び電源制御部１２−４からなる。尚、実際にはスキャナ部１１にも画像信号処理部があり、接続カード部の１２の画像信号処理部１２−１と連携して動作しているが、同図では接続カード部１２の画像信号処理部１２−１の一つにして示している。
【００４２】
上記の画像読取部１１−１は、読取り制御部１２−２から出力される駆動信号ｅにより駆動され、読取ラインスキャナ１３による画像の走査により得られる画像信号を取得して、この取得したアナログ画像信号ｆを画像信号処理部１２−１に出力する。画像信号処理部１２−１は、画像読取部１１−１から入力するアナログ画像信号ｆをデジタル画像信号ｇに変換して、このデジタル画像信号ｇを読取り制御部１２−２に出力する。
【００４３】
移動量検出部１１−２は、ローラ１５に連動するエンコーダの出力を取得し、この取得したエンコーダ出力からローラ１５の回転量、すなわち読取ラインスキャナ１３の移動量を検出し、この検出した移動量を移動量信号ｈとして読取り制御部１２−２に出力する。、
原稿検出部１１−３は、原稿検出センサ１４の出力を取得し、その取得した出力が原稿の検出を示していれば、原稿検出信号ｉを読取り制御部１２−２に出力する。
【００４４】
読取り制御部１２−２は、上記画像信号処理部１２−１から入力されるデジタル画像信号ｇに基づいて画像の読み取り中であることを認識し、移動量検出部１１−２から入力される移動量信号ｈに基づいて、ユーザより指定されているサイズの領域の読取走査が完了したか否かを判別し、原稿検出部１１−３から入力される原稿検出信号ｉに基づいて原稿の有無を判別し、これらの認識と判別とに基づいて、一方では画像読取り部１１−１に駆動信号ｅを出力すると共に画像信号処理部１２−１から入力されるデジタル画像信号ｇと読取状態信号ｊを装置Ｉ／Ｆ部１２−３に出力し、他方では電源制御部１２−４にも読取状態信号ｊを出力する。
【００４５】
装置Ｉ／Ｆ部１２−３は、読取り制御部１２−２から入力されるデジタル画像信号ｇと読取状態信号ｊとをＰＤＡ２０に出力する。
そして電源制御部１２−４は、上記読取り制御部１２−２から入力される読取状態信号ｊに基づいて、各ブロックへ電源制御信号ｋを選択的に出力する。
【００４６】
図４は、上記の構成において上述した各機能ブロックによる処理の手順と、これらの処理手順に応じて読取り制御部１２−２から出力される読取状態信号ｊにより示される処理内容と、この処理内容に基づいて電源制御部１２−４が行う電源制御の内容とを、対応付けて、分かりやすく一覧にして示す図表である。
【００４７】
同図は左端列から右へ順次に、手順欄３１、処理内容欄３２、及び電源供給欄３３を示している。手順欄３１には手順番号を示し、処理内容欄３２には処理の内容を示し、電源供給欄３３には電源供給先の機能ブロック名を示している。同図の手順欄３１及び処理内容欄３２に示すように、画像読み取りのシーケンス処理では、手順１で画像読取り開始、手順２で原稿検出、手順３で紙上を走査、手順４で読取り終了、手順５で次の原稿検出待ち、手順６では原稿検出により手順２から手順５までの繰り返し、手順７で画像読取りモード終了、となっており、これら一連の読み取りシーケンス処理は、ユーザとユーザインタフエースとの遣り取りによって行われる。
【００４８】
これら一連の読み取りシーケンス処理における読み取り状態、すなわち処理内容欄３２に示す処理内容に応じて、電源制御部１２−４は電源制御信号ｋによって電源供給欄３３に示す機能ブロックに対してのみ電源供給を行う。すなわち他の機能ブロックへの電源の供給は行わない。
【００４９】
同図に示す例では、電源の供給は、手順１の画像読取り開始では、原稿検出部１１−３のみ、手順２の原稿検出では、原稿検出部１１−３と移動量検出部１１−２のみ、手順３の紙上を走査では、原稿検出部１１−３と移動量検出部１１−２と画像読取り部１１−１と画像信号処理部１２−１のみ、手順４の読取り終了では、原稿検出部１１−３のみ、手順５の次の原稿検出待ちでも、原稿検出部１１−３のみに電源が供給され、手順６の手順２から手順５までの繰り返しでは、上記の繰り返し、そして手順７の画像読取りモード終了では、全機能ブロックへの電源供給が遮断される。
【００５０】
このように、画像の読み取り状態に応じて各機能ブロックへの電源供給の制御を行うことにより省電力化を行うことができ、電池消耗の少ない画像読取装置の提供が可能となる。
【００５１】
図５は、第３の実施形態における画像読取装置１０の機能ブロック図である。この図５においても、図１（ａ）に示したハード構成の機能と同一な機能に係わる機能ブロックには、図１（ａ）のハード構成に付与した番号と同一の番号を付与して示している。
【００５２】
また、図５は、図３の機能ブロックの電源制御部１２−４が、クロック制御部１２−５に替わり、このクロック制御部１２−５から各機能ブロックに送られるクロック信号ｍが、画像の読み取り状態に応じて制御される。
【００５３】
その処理動作は図３及び図４における説明の中の「電源制御部１２−４」、「電源制御信号ｋ」、及び「電源供給」を、それぞれ「クロック制御部１２−５」、「クロック信号ｍ」、及び「クロック信号供給」と置き換えるだけで、他の部分は全て同一の内容である。
【００５４】
これにより、画像の読み取り状態に応じて各機能ブロックへの供給するクロック信号の制御を行うことにより、動作の不要な機能ブロックへの動作クロックの供給オフや、例えばクロック自体の低速化を行うことで、消費電力を削減して省電力化を行うことができる。このようにしても、電池消耗の少ない画像読取装置の提供が可能となる。
【００５５】
ところで、携帯型のスキャナ（画像読取装置）は、出来るだけ小さいほうが良いから、スキャナ自体には、ランプや表示や音などの報知装置を設けないほうが小型化できる。
【００５６】
しかし、それでは、原稿を検出しているかどうかをユーザに通知できないから、ユーザは読み取り走査を開始できない。また、読み取り走査を行っても画像を取得できなかったりする。更に、タイムアウトやメモリエラーなどで画像の読み取りが中断された場合も、そのことをユーザに通知できないから、ユーザはそれらの不具合に気づかずに読み取り走査を続行して無駄な手数をかけることになる虞がある。
【００５７】
したがって、原稿の検出や画像の読み取り中は、それらの動作状態を何らかの形でユーザに報知して、ユーザに正しく画像の読み取るを行わせる必要がある。そのようなユーザへの報知を、画像読取装置を小型に維持したまま実現した画像読取処理装置の形態を、第４の実施形態として以下に説明する。
【００５８】
図６（ａ）は、第４の実施形態における画像読取処理装置の機能ブロック図であり、同図（ｂ）は、画像読取処理装置の動作状態を示す外観斜視図である。この外観図は、図１（ａ）に示したＰＤＡ２０の頭頂部に画像読取装置１０を一体に装着して画像読取処理装置としたものを、その画像読取装置１０の走査面を下向きにして全体を示したものである。
【００５９】
図６（ａ）に示すように、画像読取装置１０の機能ブロックはスキャナ部１１の画像読取部１１−１、移動量検出部１１−２、原稿検出部１１−３、及びスキャナ制御部１２−６、並びにＰＤＡ２０の読取り状態管理部２０−１、画像表示部２０−２、警告発光部２０−３からなる。
【００６０】
ＰＤＡ２０の読取り状態管理部２０−１は、画像読取装置１０のスキャナ制御部１２−６から通知される画像の読み取り状態信号ｎを監視し、その読み取り状態に応じて画像表示部２０−２と警告発光部２０−３とを制御する。画像表示部２０−２は、入力表示部２１のＬＣＤ表示装置を表示駆動する機能ブロックであり、警告発光部２０−３はＬＥＤ２３に対し点灯、点滅の駆動、及び消灯を行う機能ブロックである。
【００６１】
図７は、上記の構成において上述した各機能ブロックによる処理の手順と、この処理手順に対応してスキャナ制御部１２−６から通知される読取状態信号ｎに示される読取状態の内容と、その読取状態の内容に応じて読取り状態管理部２０−１による制御により画像表示部２０−２によって行われる表示処理と警告発光部２０−３によって行われ点灯処理とを、対応付けて、分かりやすく一覧にして示す図表である。
【００６２】
同図は左端列から右へ順次に、手順欄３５、読取り状態欄３６、画面表示欄３７、及びＬＥＤ点灯状態欄３８を示している。手順欄３５には手順番号を示し、読取り状態欄３６にはスキャナ制御部１２−６から通知される読み取り状態信号ｍが示す画像読取装置１０の動作内容を示し、画面表示欄３７にはＰＤＡ２０側の入力表示部２１のＬＣＤ表示装置に表示される画面の内容を示し、ＬＥＤ点灯状態欄３８には同じくＰＤＡ２０側のＬＥＤ２３の点灯状態を示している。
【００６３】
同図に示すように、手順１の読取り状態の画像読取モードへ切替では、ＬＣＤ表示装置の画面には切り替えられたモードが表示され、ＬＥＤ２３は消灯されている。手順２の読取り状態の原稿検出待ちでは、画面には同じくモードが表示され、ＬＥＤ２３は消灯されている。手順３の原稿検出では、画面に検出通知が表示され、ＬＥＤ２３は点滅する。手順４の読取り走査開始待ちでは、同じく画面に検出通知が表示され、ＬＥＤ２３は点滅を続ける。手順５の読取り走査中では、図６（ｂ）に示すように、入力表示部２１のＬＣＤ表示装置に砂時計の図柄のＢｕｓｙアイコン３４が表示され、ＬＥＤ２３は点滅から点灯に切り替わる。手順６の読取り終了では、画面の表示が終了し、ＬＥＤ２３は消灯される。
【００６４】
次の手順７はユーザからの指示待ちであり、その次の手順は、手順８又は手順９のいずれかである。手順８ではユーザからの画像走査の操作によって手順２から手順７までが繰り返される。またユーザからの終了指示があれば手順８で画像読取りモードが終了する。尚、ＰＤＡ２０にブザー等の放音装置が配設されている場合には、上記のＬＣＤ表示装置の画面表示とＬＥＤ２３の点灯に加えて、放音装置で、読み取り状態を報知するようにしてもよい。
【００６５】
このように、画像読取装置１０側には、表示装置、ランプ、放音装置などが設けられていない小型の装置でありながら、連結されるＰＤＡ側の表示装置、ランプ、放音装置などのいずれかを用いてユーザに画像の読み取り状態を報知することができるので、ユーザは読み取り開始の時期が容易に分かり、また、読み取り走査が不具合なくを行われていることを知ることができる。
【００６６】
したがって、ユーザは、タイミングが悪くて画像を取得できなかったり、タイムアウトやメモリエラーなどで画像読取りが中断されたことに気づかずに読み取り走査を続行して無駄な手数をかけることが無くなる。これにより、使い勝手の良い画像読取処理装置を提供することが可能となる。
【００６７】
ところで、上記のような画像読取処理装置によって画像の読み取り中は、画像読取装置１０と合体しているＰＤＡ２０は、通常の使用状態のときとは異なり、逆さまの状態になっている。したがって、画像の読み取り中にユーザから見たＬＣＤ表示装置の表示画面は逆さまに見えることになる。
【００６８】
通常、ユーザは、画像読み取り中や画像読み取り直後に読み取った画像が正しく確実に読み取られているかプレビュー表示画像を見て確認する。しかし、その画像表示が上下逆さまであると確認が困難になる。確認のために、その都度ＰＤＡ２０を上下逆に持ち換えると、その分の時間と手間が必要となり、複数枚の画像を連続して読み取る際には使い勝手が悪くなる。このような不便を解消した画像読取処理装置を、第５の実施形態として以下に説明する。
【００６９】
図８は、第５の実施形態における画像読取処理装置の機能ブロック図である。同図に示す機能ブロックは、図６に示した画像読取処理装置の機能ブロックのＰＤＡ２０側に、更に入力制御部２０−４を加えたものである。入力制御部２０−４は、入力ボタン２２又は入力表示装置２１のタッチパネルからの入力イベントｐを、読取り状態管理部２０−１に通知する。
【００７０】
読取り状態管理部２０−１は、スキャナ制御部１２−６から入力される読み取り状態信号ｎの内容と、入力制御部２０−４から入力される入力イベントｐとに基づいて、画像表示部２０−２を制御し、入力表示装置２１のＬＣＤ表示装置に表示する画面の向きを変更させる。
【００７１】
図９は、上記の構成において上述した各機能ブロックによる処理の手順と、この処理手順に対応してスキャナ制御部１２−６から通知される読取状態信号ｎに示される読取状態の内容又は入力制御部２０−４から入力される入力イベントと、これらに応じて読取り状態管理部２０−１による制御により画像表示部２０−２によって行われる表示処理とを、対応付けて、分かりやすく一覧にして示す図表である。
【００７２】
同図は左端列から右へ順次に、手順欄４１、読取り状態欄４２、及び画像表示欄４３を示している。手順欄４１には手順番号を示し、読取り状態欄４２にはスキャナ制御部１２−６から通知される読み取り状態信号ｎ又は入力イベントｐの内容を示し、画像表示欄４３には、入力表示装置２１のＬＣＤ表示装置に表示される画像の向きが示されている。
【００７３】
同図に示すように、手順１の原稿検出待ちでは、画像の表示は正立であり、手順２の原稿検出で、画像は正立、手順３の読取り走査開始待ちでも、画像は正立であるが、手順４の読取り走査中で、画像は上下が反転し、手順５の読取り終了でも、画像は上下が反転している。そして、手順６のユーザからの入力操作があったとき、又は所定の時間が経過したとき、画像は正立に戻る。
【００７４】
このように、使用中の状態に合わせて　読み取り中及び読み取り終了直後では、ＬＣＤ表示装置に表示される画像の向きを正立から上下反転に変更するので、ユーザは、読み取り中及び読み取り終了直後のプレビュー画像を、ＰＤＡ２０を持ち替える手数を掛けることなく、見た目に自然な表示状態で容易に確認することができ、これにより使い勝手の良い画像読取処理装置を提供することが可能となる。
【００７５】
ところで、ＰＤＡ２０のような情報処理装置は、ユーザの入力操作用に各種の入力ボタンが配置され、また表示装置にはタッチパネルがが配設されている。しかし、これらの配置は、本来情報処理装置を正立させて使用する際に便利なように配置されており、本例のように上下逆さまにして手に握って使用することを考慮して配置されているものではない。
【００７６】
したがって、把持する指の位置に入力ボタンやタッチパネルが在ったりすると誤って入力操作が行われて、入力イベントが発生し、画像読取装置が誤動作を起こす虞がある。このような不具合の発生する虞を解消した画像読取処理装置を、第６の実施形態として以下に説明する。
【００７７】
図１０（ａ）は、第６の実施形態における画像読取処理装置の機能ブロック図であり、同図（ｂ）は、画像読取処理装置の動作状態を示す外観斜視図である。この外観図は、図１（ａ）に示したＰＤＡ２０の頭頂部に画像読取装置１０を一体に装着して画像読取処理装置としたものを、その画像読取装置１０の走査面を下向きにして全体を示したものである。
【００７８】
図１０（ａ）に示す機能ブロックは、図８に示した機能ブロックから画像表示部２０−２と警告発光部２０−３を除いた構成となっている。本例では、スキャナ制御部１２−６から入力される画像の読取り状態信号ｎに基づいて、読取り状態管理部２０−１は、画像の読み取り状態に応じて入力ボタン２２及び２４からの入力イベントと、入力表示装置２１のタッチパネルからの入力イベントとを、有効とするか無効とするかを決定して、この決定を制御信号ｑ及びｒとして入力制御部２０−４に対して出力する。
【００７９】
これにより、同図（ｂ）に示すように、例えばＰＤＡ２０を右手で握った親指のくる位置となる破線の楕円形Ｑで囲んだタッチパネル部分や、中指や人差指がくる位置となる電源の入力ボタン２４部分のように、誤って入力操作される虞のある入力部の機能が無効化される。なお、左手で握った場合は手のひらが、入力ボタン２２とタッチパネルの上部に触れる可能性があるから、タッチパネルは勿論であるが、入力ボタン類は全て無効化される。
【００８０】
図１１は、上記の構成において上述した各機能ブロックによる処理の手順と、この処理手順に対応してスキャナ制御部１２−６から通知される読取状態信号ｎに示される読取状態の内容に応じて、読取り状態管理部２０−１による制御により入力制御部２０−４によって行われる入力ボタンとタッチパネルの有効／無効の制御の処理を分かりやすく一覧にして示す図表である。
【００８１】
同図は左端列から右へ順次に、手順欄４５、読取り状態欄４６、入力ボタン欄４７、及びタッチパネル欄４８を示している。手順欄４５には手順番号を示し、読取り状態欄４６にはスキャナ制御部１２−６から通知される読み取り状態信号ｎの内容等を示し、入力ボタン欄４７及びタッチパネル欄４８にはそれぞれ入力イベントを有効とするか無効とするかの設定が示されている。
【００８２】
同図に示すように、手順１の読取り状態欄の画像読取モードへ切替では、入力ボタン及びタッチパネルへの入力は無効とされる。手順２の原稿検出待ち、手順３の原稿検出、手順４の読取り走査開始待ち、手順５の読取り走査中、及び手順６の読取り終了では、同様に入力ボタン及びタッチパネルへの入力は無効とされる。
【００８３】
そして、手順７はユーザからの操作待ちであり、入力ボタン及びタッチパネルは未だ無効である。次の手順は、手順８又は手順９のいずれかである。手順８ではユーザによる画像読み取り走査の再開で手順２から手順７までが繰り返される。またユーザからの画像読み取り走査が無く、そのまま所定の時間が経過すれば手順８で画像読取りモードが終了し、入力ボタン及びタッチパネルの入力が有効となる。
【００８４】
このように、ＰＤＡ２０側の手操作による入力装置を画像の画像の読み取り状態に応じて有効または無効とすることにより、画像の読み取り時には不要な入力処理機能を無効化させるので、画像を読み取り中のＰＤＡ２０に対する手への持ち方の自由度が高まり、この点からも、使い勝手の良い画像読取処理装置を提供することが可能となる。
【００８５】
このように、本発明によれば、画像読取装置の読み取り動作状態に応じて、画像読取装置の機能ブロックの動作と情報処理装置側の機能ブロックの動作とを制御することによって低消費電力型で且つ取り扱いに無理のない使い勝手の良い画像読取処理装置を提供することが可能となる。
【００８６】
（付記１）少なくとも表示手段と該表示手段の表示輝度を調整する輝度調整手段とを有する情報処理装置に着脱自在に装着されて被読取り媒体上の画像を読み取る画像読取装置であって、
画像の読取りを制御する読取り制御手段と、
該読取り制御手段により制御される画像の読取り状態に基づいて前記情報処理装置の前記輝度調整手段に対し前記表示手段の表示輝度を変更するよう通知する通知手段と、
を備えたことを特徴とする画像読取装置。
【００８７】
（付記２）情報処理装置に着脱自在に装着されて被読取り媒体上の画像を読み取る画像読取装置であって、
画像の読取りを制御する読取り制御手段と、
機能ブロック毎に電源供給の制御又は動作クロック配信の制御を行う機能ブロック制御手段と、
を備え、
前記機能ブロック制御手段は、前記読取り制御手段により制御される画像の読み取り状態に基づいて前記機能ブロック毎に電源供給の制御又は動作クロック配信の制御を行うことを特徴とする画像読取装置。
【００８８】
（付記３）少なくとも発光手段と表示手段とを有する情報処理装置に着脱自在に装着されて被読取り媒体上の画像を読み取る画像読取装置であって、
画像の読取りを制御する読取り制御手段と、
該読取り制御手段により制御される画像の読取り状態に基づいて前記情報処理装置に対し前記発光手段の発光又は前記表示手段の表示を変更するよう通知する通知手段と、
を備えたことを特徴とする画像読取装置。
【００８９】
（付記４）少なくとも表示手段を有する情報処理装置に着脱自在に装着されて被読取り媒体上の画像を読み取る画像読取装置であって、
画像の読取りを制御する読取り制御手段と、
該読取り制御手段により制御される画像の読取り状態に基づいて前記情報処理装置に対し前記表示手段が表示する画像の一部又は全ての表示の向きを変更するよう通知する通知手段と、
を備えたことを特徴とする画像読取装置。
【００９０】
（付記５）少なくとも入力手段を有する情報処理装置に着脱自在に装着されて被読取り媒体上の画像を読み取る画像読取装置であって、
画像の読取りを制御する読取り制御手段と、
該読取り制御手段により制御される画像の読取り状態に基づいて前記情報処理装置に対し前記入力手段による入力の一部又は全てを無効とするよう通知する通知手段と、
を備えたことを特徴とする画像読取装置。
【００９１】
（付記６）少なくとも表示手段と該表示手段の表示輝度を調整する輝度調整手段とを有する情報処理装置に着脱自在に装着されて被読取り媒体上の画像を読み取る画像読取装置であって、
画像の読取りを制御する読取り制御手段と、
該読取り制御手段の制御により画像の読取中には前記情報処理装置の前記輝度調整手段に対し前記表示手段の表示輝度を低減するほうに変更するよう通知する通知手段と、
を備えたことを特徴とする画像読取装置。
【００９２】
【発明の効果】
以上詳細に説明したように、本発明によれば、画像読取装置の画像読み取り動作中には、ユーザが見ることのない情報処理装置側の表示装置のバックライトの照度を減じて又は点灯を停止して表示装置の輝度を低減させるので、連携する情報処理装置側に内蔵される電源の消費電力を低減させる画像読取装置を提供することが可能となる。
【００９３】
また、画像読取装置の読み取り動作状態に応じて、情報処理装置側の電源又は動作クロック信号の供給を、読み取り動作に関与しない部分に対して制限又は停止させるので、連携する情報処理装置側に内蔵される電源の消費電力を低減させる画像読取装置を提供することが可能となる。
【００９４】
また、画像読取装置の読み取り動作状態に応じて、情報処理装置側の表示報知の向きをユーザから見やすい向きに変更させたり、ランプの点灯報知を行ったり、あるいは放音報知を行わせるので、使い勝手の良い画像読取処理装置を提供することが可能となる。
【００９５】
また、画像読取装置の読み取り動作状態に応じて、画像読取時には不要な入力処理機能を無効化させるので、画像読取中の情報処理装置に対する取り扱い方、つまり、手による持ち方の自由度が高まり、この点からも、使い勝手の良い画像読取処理装置を提供することが可能となる。
【図面の簡単な説明】
【図１】（ａ）は本発明の画像読取装置が携帯情報機器に装着されて携帯情報機器と画像読取装置とが一体となった画像読取処理装置の構成を示す外観斜視図、（ｂ）は（ａ）の構成において行われる基本的な読取り動作のシーケンス処理を示すフローチャートである。
【図２】第１の実施形態における画像読取装置とＰＤＡ一体型の画像読取処理装置の機能ブロック図である。
【図３】第２の実施形態における画像読取装置の機能ブロック図である。
【図４】第２の実施形態における画像読取装置の構成において各機能ブロックによる処理手順の内容と電源制御の内容とを対応付けて分かりやすく一覧にして示す図表である。
【図５】第３の実施形態における画像読取装置の機能ブロック図である。
【図６】（ａ）は第４の実施形態における画像読取処理装置の機能ブロック図、（ｂ）はその動作状態を示す外観斜視図である。
【図７】第４の実施形態における画像読取処理装置において画像読み取り状態とこれに対応するＬＣＤ表示表示装置の画面表示とＬＥＤ点灯状態とを分かりやすく一覧にして示す図表である。
【図８】第５の実施形態における画像読取処理装置の機能ブロック図である。
【図９】第５の実施形態における画像読取処理装置において画像の読取状態とこれに対応するＬＣＤ表示表示装置に表示される画像の向きとを分かりやすく一覧にして示す図表である。
【図１０】（ａ）は第６の実施形態における画像読取処理装置の機能ブロック図、（ｂ）はその動作状態を示す外観斜視図である。
【図１１】第６の実施形態における画像読取処理装置において画像の読取状態とこれに対応する入力ボタンとタッチパネルの有効／無効の制御を分かりやすく一覧にして示す図表である。
【図１２】（ａ），（ｂ），（ｃ）は従来知られている小型の画像読取処理装置の構成を示す図である。
【図１３】（ａ）は従来知られている小型の画像読取処理装置によって画像を読み取る状態を示す側面図、（ｂ）はその画像読取処理装置の一構成要素であるカード型イメージスキャナの構成ブロック図である。
【符号の説明】
１　　ＰＤＡ（ｐｅｒｓｏｎａｌ　ｄｉｇｉｔａｌ　ａｓｓｉｓｔａｎｔ）
２　　入力表示装置
３　　入力ペン
４　　入力ボタン
５　　カード挿入スリット
６　　カード型イメージスキャナ
７　　走査部
７−１　画像読取り部
７−２　移動量計測部
８　　接続カード部
８−１　画像信号処理部
８−２　読取り制御部
８−３　ＰＣカードＩ／Ｆ（インターフェース）部
９　　被読取り媒体
１０　画像読取装置
１１　スキャナ部
１１−１　画像読取部
１１−２　移動量検出部
１１−３　原稿検出部
１２　接続カード部
１２−１　画像信号処理部
１２−２　読取り制御部
１２−３　装置Ｉ／Ｆ部
１２−４　電源制御部
１２−５　クロック制御部
１２−６　スキャナ制御部
１３　読取ラインスキャナ
１４　原稿検出センサ
１５（１５−１、１５−２）　ローラ
１６　読取り制御部
２０　ＰＤＡ
２０−１　読取り状態管理部
２０−２　画像表示部
２０−３　警告発光部
２０−４　入力制御部
２１　入力表示部
２２　入力ボタン
２３　ＬＥＤ（ｌｉｇｈｔ　ｅｍｉｔｔｉｎｇ　ｄｉｏｄｅ）
２４　電源入力ボタン
２５　表示部
２６　照明部
２７　輝度調整部
３１　手順欄
３２　処理内容欄
３３　電源供給欄
３４　Ｂｕｓｙアイコン
３５　手順欄
３６　読取り状態欄
３７　画面表示欄
３８　ＬＥＤ点灯状態欄
４１　手順欄
４２　読取り状態欄
４３　画像表示欄
４５　手順欄
４６　読取り状態欄
４７　入力ボタン欄
４８　タッチパネル欄
【図１】
2004007241.tif 000003
【図２】
2004007241.tif 000004
【図３】
2004007241.tif 000005
【図４】
2004007241.tif 000006
【図５】
2004007241.tif 000007
【図６】
2004007241.tif 000008
【図７】
2004007241.tif 000009
【図８】
2004007241.tif 000010
【図９】
2004007241.tif 000011
【図１０】
2004007241.tif 000012
【図１１】
2004007241.tif 000013
【図１２】
2004007241.tif 000014
【図１３】
2004007241.tif 000015